(57)【要約】【課題】  浴槽上面に隆起部が形成されている浴槽においても、良好に使用することができて、平板状に高級感を呈して成形できる風呂蓋を提供する。【解決手段】  浴槽内面からフランジ１ａの上方へ立ち上がる隆起部２が形成されてなる浴槽１に使用する風呂蓋３であって、この風呂蓋３は平板状に形成されて、隆起部２と反対側の辺５ｃを除く外周の少なくとも５０％は、隆起部２側の浴槽内面に当接し得る形状に形成された当接面側辺５ｂとなっており、辺５ｃを除く他の周囲約５０％の部分をフランジ１ａ，１ｃ上に載せることができるように構成されている。【選択図】  図１
2006150031.tif 000002
【特許請求の範囲】
【請求項１】
浴槽内面からフランジ上方へ立ち上がる隆起部が形成されてなる浴槽に使用する風呂蓋であって、該風呂蓋は平板状に形成されて、前記隆起部と反対側の辺を除く外周の少なくとも５０％は、前記隆起部側の浴槽内面に当接し得る浴槽内面に沿った外形に形成され、他の周囲を前記フランジ上に載せることができるように構成したことを特徴とする風呂蓋。
【請求項２】
前記浴槽の隆起部上に載る安定部材を風呂蓋上面に立ち上げて設けたことを特徴とする請求項１に記載の風呂蓋。
【請求項３】
前記安定部材は、前記隆起部のほぼ全体を覆う形状であることを特徴とする請求項２に記載の風呂蓋。
【請求項４】
前記浴槽内面に当接し得る外周部分に、浴槽内面の上下方向の傾斜に沿ったテーパーを設けたことを特徴とする請求項１に記載の風呂蓋。
【請求項５】
前記浴槽内面に当接し得る外周部分に、外周が広がる方向にヒレ部を形成したことを特徴とする請求項１に記載の風呂蓋。
【発明の詳細な説明】
【技術分野】
【０００１】
本発明は、上面に隆起部が形成された浴槽に使用する風呂蓋に関するものである。
【背景技術】
【０００２】
従来、上面のフランジから上方へ立ち上がる隆起部が形成されてなる浴槽においては、平板状の風呂蓋を使用することができないため、例えば特許文献１に開示されているようなシャッター蓋（巻蓋）を用いたり、特許文献２に開示されているように、隆起部に沿った湾曲部を風呂蓋に形成させていた。
なお、特許文献３に開示されているように、隆起部の浴槽内面側に風呂蓋を当接させて使用するような構成が存在する。
【特許文献１】実開平６−３４５８７号公報
【特許文献２】実開昭６２−１８２６８９号公報
【特許文献３】特開２００３−２７５１２０号公報
【発明の開示】
【発明が解決しようとする課題】
【０００３】
特許文献１に開示されているようなシャッター蓋（巻蓋）は見栄えが悪く意匠性に乏しいため、高級感を出すことができないという問題点があった。
【０００４】
また、特許文献２に開示されているように、風呂蓋に隆起部に対応する湾曲部を形成させる構成では、薄い風呂蓋の場合には湾曲部を加工することができるが、特に断熱蓋のように厚みが厚い蓋の場合や、曲げにくい素材を用いる場合には、加工が不可能となる場合があった。
【０００５】
また、特許文献３に開示されているような構成では、浴槽内面に当接する風呂蓋の部分は、風呂蓋外周の３０％以下の直線辺であり、浴槽側には直線状の短い隆起部しか形成させることができないという問題点があった。
【課題を解決するための手段】
【０００６】
本発明は上記従来の問題点に鑑み案出したものであって、浴槽側に長い湾曲状の隆起部を形成させた場合でも良好に蓋をすることができ、しかも加工が容易で高級感が出る風呂蓋を提供せんとするものであり、その請求項１は、浴槽内面からフランジ上方へ立ち上がる隆起部が形成されてなる浴槽に使用する風呂蓋であって、該風呂蓋は平板状に形成されて、前記隆起部と反対側の辺を除く外周の少なくとも５０％は、前記隆起部側の浴槽内面に当接し得る浴槽内面に沿った外形に形成され、他の周囲を前記フランジ上に載せることができるように構成したことである。
【０００７】
また、請求項２は、前記浴槽の隆起部上に載る安定部材を風呂蓋上面に立ち上げて設けたことである。
【０００８】
また、請求項３は、前記安定部材は、前記隆起部のほぼ全体を覆う形状であることである。
【０００９】
また、請求項４は、前記浴槽内面に当接し得る外周部分に、浴槽内面の上下方向の傾斜に沿ったテーパーを設けたことである。
【００１０】
また、請求項５は、前記浴槽内面に当接し得る外周部分に、外周が広がる方向にヒレ部を形成したことである。
【発明の効果】
【００１１】
本発明では、隆起部が形成されてなる浴槽に使用する風呂蓋は、平板状に形成されて、隆起部と反対側の辺を除く外周の少なくとも５０％は隆起部側の浴槽内面に当接し得る浴槽内面に沿った外形に形成され、他の周囲をフランジ上に載せることができるように構成したことにより、浴槽上面に湾曲状に大きな隆起部が形成されている場合においても、この隆起部側の浴槽内面に風呂蓋の外周を当接させ、しかも風呂蓋の外周の５０％程度は浴槽のフランジ上に載せて浴槽を良好に蓋をすることができ、平板状の蓋で構成できるため、風呂蓋の加工が容易であり、厚みの厚い風呂蓋でも、また曲げにくい素材でも容易に形成させることができるものとなる。
【００１２】
また、浴槽の隆起部上に載る安定部材を風呂蓋上面に立ち上げて設けたことにより、安定部材が隆起部上に載るため、風呂蓋の浴槽上面への設置が安定したものとなる。
【００１３】
また、安定部材は、隆起部のほぼ全体を覆う形状であることにより、浴槽の隆起部に安定部材を被せるだけで良好に風呂蓋を浴槽上面へ位置決めすることができ、位置決め効果が高いものとなる。
また、安定部材は広い面で三次元形状で荷重を受けるため、風呂蓋の上に手をついたり、幼児が乗ったりした場合に、荷重が分散し、強度が増し、風呂蓋が引っくり返るようなことがなくなる。
また、浴槽の材質や製造方法によって浴槽の寸法にばらつきが生じている場合等において、風呂蓋と浴槽内面との当接部分に多少の隙間ができても、安定部材で良好に塞ぐことができるものとなる。
【００１４】
また、浴槽内面に当接し得る外周部分に、浴槽内面の上下方向の傾斜に沿ったテーパーを設けたことにより、風呂蓋外周に形成されたテーパーが浴槽内面の傾斜にぴったりと当接するため、気密性が向上し浴槽内の湯が冷めにくいものとなり、また蓋の設置状態が安定したものとなる。
【００１５】
また、浴槽内面に当接し得る外周部分に、外周が広がる方向にヒレ部を形成したことにより、浴槽や風呂蓋に寸法，形状の多少のばらつきがあっても、ヒレ部が浴槽内面に当接して追従するため、隙間が出来ず、浴槽に風呂蓋を密閉状に蓋することができるものとなる。
【実施例】
【００１６】
以下、本発明の実施例を図面に基づいて説明する。
図１は、浴槽上面に２枚構成の風呂蓋を設置した状態の斜視構成図であり、図２は、その平面構成図である。また図３及び図４は、浴槽に風呂蓋を設置した状態の要部縦断面拡大構成図である。
【００１７】
図において、浴槽１の上面には、頭側フランジ１ａが略水平状に外側に突出形成されており、また、頭側フランジ１ａの反対側には脚側フランジ１ｂが水平状に外側に突出形成されており、また、この脚側フランジ１ｂの洗い場側には、洗い場側へ湾曲状に突出して洗い場側フランジ１ｃが一体形成されている。
【００１８】
また、浴槽１は図３及び図４に示すように、頭側フランジ１ａ側においては、底部１ｄから一段高い位置に略水平状に腰掛け可能な腰掛部１ｅが形成されて、この腰掛部１ｅから上方に向かって傾斜状に浴槽内面１ｆが形成されており、この浴槽内面１ｆから連続状に上方へ延出させて、頭側フランジ１ａの面よりも更に上方へ立ち上げた背もたれ隆起部２が一体形成されており、この背もたれ隆起部２は、浴槽内面１ｆに沿って水平方向に略馬蹄形に湾曲して形成されており、腰掛部１ｅに腰を掛けた状態で、この背もたれ隆起部２に背中を持たれかけて、リラックスした状態で半身浴が行えるように構成されている。
【００１９】
このような隆起部２を一体形成した浴槽１の上面に覆設される風呂蓋は、本例では頭側風呂蓋３と脚側風呂蓋６の２枚で構成されている。
頭側風呂蓋３は、平板部４の外周に外周エッジ部材５が取り付けられて構成されており、同様に脚側風呂蓋６においても、平板部７の外周に外周エッジ部材８が取り付けられて構成されている。
平板部４，７は、内部が発泡ウレタンや発泡ポリスチレンで構成されて、表側及び裏側は、ＡＢＳ，ポリプロピレン等の硬質樹脂でサンドイッチ構造に形成されて、上下方向の厚みが２０ｍｍ程度の断熱構造にされている。
【００２０】
また、外周エッジ部材５は、その外周側に前記浴槽内面１ｆの上下方向の傾斜に対応するテーパー５ａが形成されており、外周のテーパー５ａが浴槽内面１ｆに密着状に当接できるように構成されている。
なお、外周エッジ部材５の背もたれ隆起部２側の当接面側辺５ｂは、背もたれ隆起部２の下方側の浴槽内面１ｆの内周形状に沿った湾曲形状に形成されており、浴槽内面１ｆに内側から密着状に当接できるように構成されている。
【００２１】
また、当接面側辺５ｂと反対側には、直線状の合せ面側辺５ｃが形成されており、この合せ面側辺５ｃは、脚側風呂蓋６の合せ面側辺６ａに当接されるものである。
この合せ面側辺５ｃを除く外周エッジ部材５の外周の約５０％程度の長さが、前記当接面側辺５ｂの長さとなっており、また当接面側辺５ｂの左右端から合せ面側辺５ｂの左右端側へ延びる両サイドが、フランジ１ａ，１ｃの上面に載るように構成されており、このフランジ１ａ，１ｃに載る部分に、頭側風呂蓋３の重心位置が存在するように構成されている。
【００２２】
従って、頭側風呂蓋３の、合せ面側辺５ｃを除く外周の約５０％程度の左右部分がフランジ１ａ，１ｃ上に載り、合せ面側辺５ｃを除く外周の約５０％程度の当接面側辺５ｂが浴槽内面１ｆに当接されることとなる。
なお、脚側風呂蓋６は、合せ面側辺６ａを除く他の外周がフランジ１ｂ，１ｃ上に載せられるものである。
【００２３】
このように、頭側風呂蓋３及び脚側風呂蓋６は、平板状に形成されており、平板状であるため加工が容易であり、上下方向の厚みが厚い場合や曲げ加工のしにくい素材を用いた場合でも容易に成形することができ、高級感のある風呂蓋とすることができる。
また平板状であるため、頭側風呂蓋３と脚側風呂蓋６は、使用しない時には、重ね合わせて壁側等にコンパクトに収納しておくことができるものとなる。
【００２４】
このように、背もたれ隆起部２が一体形成された浴槽１であっても、平板状の頭側風呂蓋３の当接面側辺５ｂを浴槽内面１ｆに当接させて良好に蓋することができるものとなり、しかも当接面側辺５ｂを構成する外周エッジ部材５の外周側には、浴槽内面１ｆに沿ったテーパー５ａが形成されているため、浴槽内面１ｆに密着状態となって機密性が向上し、浴槽内の湯が冷めることがなく、また頭側風呂蓋３の覆設状態が安定したものとなる。
特に、背もたれ隆起部２が平面から見て馬蹄形状等に長く大きく形成されている場合においても、良好に頭側風呂蓋３を覆設できるものであるため、背もたれ隆起部２を馬蹄形状等に大きく形成させることができて、浴槽１の設計の自由度が向上することとなる。
【００２５】
なお、図３の縦断面拡大構成図で示すように、安定部材としての取手９を備えていなくても安定するが、図１，図２及び図４では、頭側風呂蓋３の平板部４に、背もたれ隆起部２側に延びる安定部材としての取手９を形成させたものである。
この取手９は、平板部４から立ち上がる立上片９ａと、立上片９ａから略水平状に延びて隆起部２の上面に載せることのできる水平片９ｂで構成されており、このような取手９を頭側風呂蓋３に設けておくことにより、頭側風呂蓋３を設置した状態では、取手の水平片９ｂが隆起部２上に載るため、頭側風呂蓋３の設置状態が安定したものとなる。
【００２６】
なお、この取手９を介し頭側風呂蓋３を持ち上げて、頭側風呂蓋３の取り外し作業等を容易に行うことができるものとなる。
なお、取手９が設けられている頭側風呂蓋３においては、当接面側辺５ｂの長さが、合せ面側辺５ｃを除く外周の５０％を超えて、当接面側辺５ｂ側に重心位置が存在していても、安定して頭側風呂蓋３を浴槽上面に覆設できるものとなる。
【００２７】
次に、図５〜図８に示すものは、頭側風呂蓋３に、板状の安定部材１０を取り付けたものである。
安定部材１０は、複数の固定部材１１で頭側風呂蓋３の当接面側辺５ｂ側に取り付けられており、固定部材１１で平板部４上に固定される固定片１０ａから、外側へ向かって、外周エッジ部材５の当接面側辺５ｂ上に載るように浮き上がった浮上段片１０ｂが形成され、浮上段片１０ｂから上方へ傾斜して、浴槽内面１ｆに沿った上傾状の上傾片１０ｃが形成され、上傾片１０ｃの上端には、背もたれ隆起部２の上端に載る上面片１０ｄが連続しており、上面片１０ｄから下方に向かって、背もたれ隆起部２の裏側に当接する引掛け片１０ｅが連続して形成されたものである。
【００２８】
なお、固定部材１１は、図７に示すように、下側から嵌め込まれる下面ナット１１ａと、この下面ナット１１ａに対し、上面側から締め付けられる上面皿ネジ１１ｂと、この上面皿ネジ１１ｂに覆設される化粧キャップ１１ｃで構成する場合や、図８に示すように、平板部４の裏面に補強板１１ｄを介在させて、かしめて固定されるリベット状のもの等がある。
このような安定部材１０を頭側風呂蓋３に取り付けておけば、安定部材１０を背もたれ隆起部２上に載せて、良好に位置決めして頭側風呂蓋３を浴槽１の上面に載せることができ、載せた状態で頭側風呂蓋３が安定したものとなり、頭側風呂蓋３上に手をついたり、幼児が乗ったりした場合の荷重を、良好にこの安定部材１０で受けて、頭側風呂蓋３が回転してひっくり返るようなことがなくなる。
【００２９】
なお、更に図９に示すように、安定部材１０を横方向全体に延ばしてカバー状に形成しても良く、この図９のカバー状に形成した安定部材１０は、断面形状は図７及び図８に示すような形状であり、背もたれ隆起部２全体を安定部材１０で覆うことができるものとなり、安定部材１０を背もたれ隆起部２上に被せることで、確実に頭側風呂蓋３を位置決めして良好に浴槽１の上面に覆設することができるものとなる。
【００３０】
また、図９のカバー状に形成した安定部材１０では、外周エッジ部材５の当接面側辺５ｂの上面を完全に覆うものであり、外周エッジ部材の当接面側辺５ｂと浴槽内面１ｆ間に多少隙間ができても、良好にこの安定部材１０で塞ぐことができるものとなる。
即ち、浴槽１の材質や製造方法によっては、浴槽１の寸法がばらつく場合もあるが、そのような場合においても、図９の安定部材１０では隙間を確実に塞いで、浴湯の保温効果を高めることができるものとなる。
【００３１】
また、図９のようなカバー状の安定部材１０では、設置状態の強度が向上したものとなり、頭側風呂蓋３上に手をついたり幼児が乗ったりした場合でも、頭側風呂蓋３の回転を確実に抑えて、頭側風呂蓋３がひっくり返るのを防ぐことができるものとなる。
【００３２】
次に、図１０及び図１１で示すものは、更なる変更例であり、図１０及び図１１では、頭側風呂蓋３の当接面側辺５ｂ側の平板部４に、固定部材１１を介して、安定部材を構成するバンド１２を設けたものである。
このバンド１２は、例えば軟質ウレタン等の素材で帯状に形成して、外端側には、切欠き孔１２ａ等を形成させておき、この切欠き孔１２ａを、浴槽側に立ち上がるフック１３に掛止できるように構成しておくことができる。
バンド１２を左右方向に２本程度設けておき、それぞれのバンド１２，１２を、浴槽の頭側フランジ１ａ上に立設固定されているフック１３，１３に掛止して、頭側風呂蓋３の設置状態を安定化させることができるものとなる。
【００３３】
このようなバンド１２，１２の場合には、安価に形成させることができ、また頭側風呂蓋３を収納する場合にも、バンド１２，１２はさほど邪魔にならないものとなる。
なお、固定部材１１に対しバンド１２が回転できるように固定しておけば、収納時等にはバンド１２を平板部４上に回転させてコンパクトに収納できるものとなる。
【００３４】
次に、図１２の断面図で、図１３の平面図で示すものは、外周エッジ部材５の合せ面側辺５ｃを除く外周部分に、外周が広がる方向に５ｍｍ程度のヒレ部５ｄを一体形成させたものである。
このヒレ部５ｄは、外周エッジ部材５を押し出し成形する際に、一体形成することができ、このようなヒレ部５ｄを外周エッジ部材５に設けておけば、このヒレ部５ｄが図１２に示すように、浴槽内面１ｆに当接して、頭側風呂蓋３を浴槽１上面に密閉状に被せることができるものとなる。
【００３５】
即ち、浴槽１や風呂蓋３が製造される際に、材質や製造方法の違いにより、寸法のバラツキが生ずることがあるが、そのような寸法のバラツキがあっても、良好にヒレ部５ｄが浴槽内面１ｆに当接して、覆設状態において隙間ができ難いものとなり、頭側風呂蓋３を密閉状態で浴槽１上面に載せることができるものとなる。
【図面の簡単な説明】
【００３６】
【図１】隆起部を形成した浴槽に風呂蓋を覆設した状態の斜視構成図である。
【図２】図１の平面構成図である。
【図３】頭側風呂蓋の設置状態の縦断面拡大構成図である。
【図４】取手を設けた頭側風呂蓋の設置状態の縦断面拡大構成図である。
【図５】板状の安定部材を設けた風呂蓋の設置状態の斜視構成図である。
【図６】図５における頭側風呂蓋の斜視構成図である。
【図７】図６の頭側風呂蓋を浴槽に設置した状態の要部拡大縦断面構成図である。
【図８】固定部材の変更例を示す図７に対応させた設置状態の縦断面構成図である。
【図９】安定部材を横方向全体に延びたカバー状に形成した場合の斜視構成図である。
【図１０】安定部材としてバンドを設けた場合の風呂蓋の設置状態の斜視構成図である。
【図１１】図１０のバンドを設けた風呂蓋の設置状態の縦断面拡大構成図である。
【図１２】外周エッジ部材にヒレ部を設けた場合の設置状態の縦断面構成図である。
【図１３】図１２のヒレ部を設けた風呂蓋の平面構成図である。
【符号の説明】
【００３７】
１  浴槽
１ａ  頭側フランジ
１ｂ  脚側フランジ
１ｃ  洗い場側フランジ
１ｄ  底部
１ｅ  腰掛部
１ｆ  浴槽内面
２  背もたれ隆起部
３  頭側風呂蓋
４  平板部
５  外周エッジ部材
５ａ  テーパー
５ｂ  当接面側辺
５ｃ  合せ面側辺
５ｄ  ヒレ部
６  脚側風呂蓋
６ａ  合せ面側辺
７  平板部
８  外周エッジ部材
９  取手
９ａ  立上片
９ｂ  水平片
１０  安定部材
１０ａ  固定片
１０ｂ  浮上段片
１０ｃ  上傾片
１０ｄ  上面片
１０ｅ  引掛け片
１１  固定部材
１１ｄ  補強板
１２  バンド（安定部材）
１２ａ  切欠き孔
１３  フック
【図１】
2006150031.tif 000003
【図２】
2006150031.tif 000004
【図３】
2006150031.tif 000005
【図４】
2006150031.tif 000006
【図５】
2006150031.tif 000007
【図６】
2006150031.tif 000008
【図７】
2006150031.tif 000009
【図８】
2006150031.tif 000010
【図９】
2006150031.tif 000011
【図１０】
2006150031.tif 000012
【図１１】
2006150031.tif 000013
【図１２】
2006150031.tif 000014
【図１３】
2006150031.tif 000015